(57)【特許請求の範囲】
【請求項１】
電動工具の電源として用いられる充電可能なバッテリを電源として取り付け可能な耕うん機であって、前記バッテリの取り付け部にバッテリコンバータを取り付け可能であり、
複数のバッテリ取り付け部を備え、各バッテリ取り付け部に前記バッテリコンバータを取り付け可能であり、
形態の異なる２つのバッテリコンバータを前記バッテリ取り付け部に同時に取り付け可能であり、
前記２つのバッテリコンバータを取り付けるバッテリ取り付け部がモータ軸線に対して左右非対称に配置された耕うん機。
【請求項２】
請求項１に記載した耕うん機であって、前記各バッテリ取り付け部に取り付けた複数のバッテリコンバータを順次切り換えて電源として使用する耕うん機。
【請求項３】
請求項１又は２に記載した耕うん機であって、前記バッテリコンバータとして、前記バッテリを収容したコンバータユニットと、前記バッテリ取り付け部に取り付けられるアダプタユニットをアダプタコードで接続した形態のバッテリコンバータを取り付け可能で、前記コンバータユニットをハンドル部に装着可能な耕うん機。
【請求項４】
請求項３記載の耕うん機であって、前記アダプタユニットを取り付けたバッテリ取り付け部を蓋部で開閉可能で、該蓋部を閉じた状態で前記アダプタコードを挿通するためのコード通し孔を前記バッテリ取り付け部に設けた耕うん機。
【請求項５】
請求項１〜４の何れか１項に記載した耕うん機であって、電圧の異なる仕様外バッテリを前記バッテリコンバータを用いて前記バッテリ取り付け部に取り付けて電源として利用可能な耕うん機。
【発明の詳細な説明】
【技術分野】
【０００１】
この発明は、主として田や畑を耕す農作業等に用いられる耕うん機であって、電動工具用の充電式バッテリを電源として搭載できる耕うん機に関する。
【背景技術】
【０００２】
近年、穴明け用の電気ドリル、ねじ締め機や切断機等の主として手持ち式の電動工具には、リチウムイオンバッテリ等の充電式のバッテリを電源とするものが普及してきている。この種の充電式電動工具では、通常複数のバッテリを用意して充電中であっても、別のバッテリを電動工具に装着して作業の中断を招かないようにしている。
一方、主として農作業等に用いられる耕うん機には、比較的小型のものについてバッテリ式の耕うん機が提供されている。このバッテリ式の耕うん機に関する技術が下記の特許文献に開示されている。
【先行技術文献】
【特許文献】
【０００３】
【特許文献１】特許第4116904号公報
【特許文献２】特開2009-118753号公報
【特許文献３】特開2011-5号公報
【発明の概要】
【発明が解決しようとする課題】
【０００４】
しかしながら、従来のバッテリ式耕うん機は、専用バッテリを用いる構成であるため、取り外した専用バッテリを他へ流用することはできず、また、例えば他の電動工具のバッテリを電源として流用することができず、この点で使い勝手を改善する必要があった。
本発明は、この点に着目してなされたもので、耕うん機について、充電式電動工具のバッテリを電源として用いることができるようにする。
【課題を解決するための手段】
【０００５】
上記の課題は、下記の発明によって解決される。
第１の発明は、電動工具の電源として用いられる充電可能なバッテリを電源として取り付け可能な耕うん機であって、バッテリの取り付け部にバッテリコンバータを取り付け可能な耕うん機である。
第１の発明によれば、穴明け用の電気ドリル、ねじ締め機や切断機等の主として手持ち式の電動工具の充電式バッテリを電源として用いることができる。電動工具と耕うん機との間でバッテリを使い回すことにより、当該バッテリの有効活用を図って電源コストを低減することができる。
また、例えば耕うん機本体部の電源仕様に適合しない電圧の仕様外バッテリをバッテリコンバータを用いて電源として利用することができるので、電源仕様に適合したバッテリを用意できない場合に、仕様外のバッテリを用いて耕うん機を利用することができ、この点で利用可能なバッテリの範囲が拡大し、ひいては当該耕うん機の使い勝手を向上させることができる。例えば、本体部の仕様が３６Ｖバッテリを電源とする場合に、これに代えて２つの１８Ｖバッテリを直列接続で装着したバッテリコンバータを取り付けてこれを電源として利用することができる。この１８Ｖバッテリについても電動工具用のバッテリを流用することができる。
第２の発明は、第１の発明において、複数のバッテリ取り付け部を備え、各バッテリ取り付け部に前記バッテリコンバータを取り付け可能な耕うん機である。
第２の発明によれば、本体部に適合するバッテリ及び仕様外のバッテリについて、長時間運転を可能にすることができる。
第３の発明は、第２の発明において、形態の異なる２つのバッテリコンバータをバッテリ取り付け部に同時に取り付け可能な耕うん機である。
第３の発明によれば、２つの異なる形態のバッテリコンバータを用いて例えば仕様外のバッテリを電源として利用できる点で当該耕うん機の使い勝手を一層向上させることができる。
第４の発明は、第３の発明において、２つのバッテリコンバータを取り付けるバッテリ取り付け部がモータ軸線に対して左右非対称に配置された耕うん機である。
第４の発明によれば、主として左右幅寸法が異なる２つのバッテリコンバータを左右方向に効率よく取り付けることができ、これにより当該耕うん機の左右幅方向のコンパクト化を図ることができる。
第５の発明は、第２〜第４の発明において、各バッテリ取り付け部に取り付けた複数のバッテリコンバータを順次切り換えて電源として使用する耕うん機である。
第５の発明によれば、耕うん機の長時間運転を行うことができる。
第６の発明は、第１〜第６の何れか一つの発明において、バッテリコンバータとして、バッテリを収容したコンバータユニットと、バッテリ取り付け部に取り付けられるアダプタユニットをアダプタコードで接続した形態のバッテリコンバータを取り付け可能で、コンバータユニットをハンドル部に装着可能な耕うん機である。
第６の発明によれば、コンバータユニットとアダプタユニットが分離されたセパレートタイプのバッテリコンバータを用いる場合に、バッテリを収容した重量の大きなコンバータユニットをハンドル部側に装着して本体部の軽量化を図ることができるとともに、コンバータユニットの重量を抵抗棒に効率よく作用させて当該耕うん機の耕うん能力を高めることができる。
第７の発明は、第６の発明において、アダプタユニットを取り付けたバッテリ取り付け部を蓋部で開閉可能で、該蓋部を閉じた状態で前記アダプタコードを挿通するためのコード通し孔を前記バッテリ取り付け部に設けた耕うん機である。
第７の発明によれば、アダプタコードをコード挿通孔を経てバッテリ取り付け部とハンドル部との間を取り回すことにより、蓋部を完全に閉じた状態で上記セパレートタイプのバッテリコンバータを用いることができる。
第８の発明は、第１〜第７の何れか一つの発明において、電圧の異なる仕様外バッテリを前記バッテリコンバータを用いて前記バッテリ取り付け部に取り付けて電源として利用可能な耕うん機である。
第８の発明によれば、定格電圧が電源仕様に適合したバッテリ（例えば３６Ｖバッテリ）が充電中等の理由で用意できない場合に、例えば定格電圧が１８Ｖの仕様外のバッテリをバッテリコンバータによりバッテリ取り付け部に取り付けて電源として利用することができ、この点で利用可能なバッテリの範囲が拡大して当該耕うん機の使い勝手を向上させることができる。
【図面の簡単な説明】
【０００６】
【図１】充電式耕うん機の全体側面図である。
【図２】充電式耕うん機の全体側面図である。本図では、本体部が縦断面図で示されている。
【図３】充電式耕うん機の全体斜視図である。本図は、バッテリカバーが開けられてバッテリ収容部が開放された状態を示している。
【図４】充電式耕うん機の全体平面図である。本図は、バッテリカバーが開けられてバッテリ収容部が開放された状態を示している。
【図５】充電式耕うん機の全体斜視図である。本図は、バッテリが上方へ取り外された状態で示されている。
【図６】充電式耕うん機の本体部及び機構部の後面図であって、図１の(VI)-(VI)線矢視図である。但し、移動輪は接地側に下ろされており、バッテリカバーが開けられている点で図１とは異なっている。
【図７】バッテリコンバータを取り付けた充電式耕うん機の全体側面図である。
【図８】バッテリコンバータを取り付けた充電式耕うん機の全体斜視図である。本図は、バッテリカバーが開けられてバッテリ収容部が開放された状態を示している。
【図９】バッテリコンバータを取り付けた充電式耕うん機の全体平面図である。本図は、バッテリカバーが開けられてバッテリ収容部が開放された状態を示している。
【図１０】バッテリコンバータを取り付けた本体部を後方から見た図である。本図は、バッテリカバーが開けられてバッテリ収容部が開放された状態を示している。
【図１１】第１のバッテリコンバータを園芸工具に装着した状態を示す斜視図である。
【図１２】第１のバッテリコンバータのコンバータユニットの斜視図である。本図は、蓋部を開放した状態を示している。
【図１３】第２のバッテリコンバータのコンバータベースの斜視図である。本図は、バッテリを取り外した状態を示している。
【図１４】第２のバッテリコンバータの後面図である。
【発明を実施するための形態】
【０００７】
次に、本発明の実施形態を図１〜図１４に基づいて説明する。本実施形態に係る充電式耕うん機１は、駆動源としての電動モータ１０を内装した本体部２と機構部３とハンドル部４を備えている。本体部２の本体部ケース１２に電動モータ１０がその出力軸１０ａを下方へ向けた縦姿勢で支持されている。出力軸１０ａには駆動ギヤ１３が取り付けられている。駆動ギヤ１３には従動ギヤ１４が噛み合わされている。従動ギヤ１４は、上下に長い駆動軸１５の上部に固定されている。駆動軸１５は、本体部ケース１２の下面に取り付けた機構部ケース１９に回転可能に支持されている。駆動軸１５はモータ軸線（電動モータ１０の出力軸１０ａの回転軸線）と平行な軸線回り回転可能に支持されている。この駆動軸１５の下部にはウォームギヤ１５ａが形成されている。このウォームギヤ１５ａは、ウォームホイール１６に噛み合わされている。ウォームホイール１６は、出力軸１７に取り付けられている。出力軸１７は、機構部ケース１９の下部に回転可能に支持されている。出力軸１７は、駆動軸１５の軸線に交差する軸線であって左右方向の軸線回りに回転可能に支持されている。出力軸１７の左右端部は、機構部ケース１９の左右側部から突き出されている。この左右の突き出し部分に、それぞれ耕うん爪１８が取り付けられている。
電動モータ１０が起動すると、駆動ギヤ１３と従動ギヤ１４との噛み合いを経て駆動軸１５が回転する。駆動軸１５の回転は、ウォームギヤ１５ａとウォームホイール１６の噛み合いを経て出力軸１７に出力される。出力軸１７の回転により左右の耕うん爪１８，１８が回転して耕うん面Ｒの耕うんがなされる。
【０００８】
左右の耕うん爪１８，１８の上方に、それぞれロータリカバー５が張り出している。ロータリカバー５は、本体部ケース１２の下部から主として左右両側方及び後方に張り出す状態に設けられている。このロータリカバー５によって、左右の耕うん爪１８，１８で跳ね上げられた耕うん面の土石が使用者側に飛散することが防止される。
機構部ケース１９には、補助支柱２３が取り付けられている。この補助支柱２３は、機構部ケース１９から後方（使用者側）へ水平に延びている。この補助支柱２３には、左右の移動輪２４，２４と１本の抵抗棒２９が取り付けられている。左右の移動輪２４，２４は、それぞれ支軸２５ａを介して上下に回動可能に支持されたステー２５の回動先端側に回転自在に支持されている。図１，３，５に示すように、左右のステー２５，２５と補助支柱２３との間には引っ張りばね２６が介装されている。この引っ張りばね２６の付勢力により、左右の移動輪２４，２４は、図１中実線で示す格納位置と、図１中二点鎖線で示す接地側の取り出し位置との双方で位置保持されるようになっている。使用者は、引っ張りばね２６の付勢力に抗して左右のステー２５，２５を手動操作で上下に回動させることにより、左右の移動輪２４，２４を上方へ格納し、逆に下方に取り出して耕うん面Ｒに接地させることができる。
抵抗棒２９は、山形に緩く屈曲する１本の棒材で、その下端部を耕うん面Ｒに食い込ませて移動抵抗を与えることにより左右の耕うん爪１８，１８に対して耕うん面Ｒに対する耕うん力を発生させる機能を有している。この抵抗棒２９は、補助支柱２３の後端部に上下方向の位置を変更可能かつ一旦補助支柱２３から取り外して取り付け向きを上下に反転可能な状態で取り付けられている。図示するように抵抗棒２９を補助支柱２３から下向きに突き出させた作業位置では、左右の移動輪２４，２４が上方の格納位置に退避される。この状態で耕うん作業が行われる。逆に、抵抗棒２９を最も上方の退避位置に移動させ、若しくは上下反転させて上向きに突き出す位置に退避させた状態では、左右の移動輪２４，２４が図１中二点鎖線で示す取り出し位置に取り出される。これにより耕うん爪１８，１８を耕うん面Ｒから浮き上がらせた状態で左右の移動輪２４，２４を耕うん面Ｒ上を転動させて、当該耕うん機１を使用者の押し操作により移動させることができる。
【０００９】
本体部ケース１２の上面側には、大型のバッテリカバー１１が設けられている。このバッテリカバー１１は、支軸１１ａを中心として上方前側へ回動して開放することができる。バッテリカバー１１を上方へ開けると、バッテリ収容部２０が開放される。バッテリ収容部２０には、２つのバッテリ２１，２２が搭載されている。このバッテリ２１，２２は、ねじ締め機等の主として手持ち式の電動工具のバッテリとして用いられるもので、電動工具から取り外したものがそのまま利用される。このバッテリ２１，２２には、自然放電が少なく、継ぎ足し充電が可能である点等で高性能なリチウムイオンバッテリが用いられており、本実施形態では何れも定格電圧３６Ｖのものが用いられている。このバッテリ２１，２２は、それぞれバッテリケースに複数のセルを内装した構成を備えている。このバッテリ２１，２２は、別途用意した充電器で充電することにより繰り返し使用することができる。
本体部２の電源回路は、この３６Ｖ電源を仕様としており、バッテリ２１，２２が仕様適合バッテリとなる。
図２に示すように、２つのバッテリ２１，２２は、本体部２の後部であって電動モータ１０よりも後ろ側に取り付けられている。しかも、図３，４，６に示すように、２つのバッテリ２１，２２は、左右に横並び状態で取り付けられる。図５に示すようにバッテリ収容部２０の前部には、２つのバッテリ２１，２２を取り付けるためのバッテリ取り付け部２７，２８が設けられている。両バッテリ取り付け部２７，２８は、バッテリ２１，２２を電源として用いる電動工具のバッテリ取り付け部と同じスライド取り付け形式を備えており、それぞれ左右のスライドレール部と、両スライドレール部の間のコネクタ接続部を備えている。
両バッテリ取り付け部２７，２８に対してそれぞれバッテリ２１，２２を上下にスライドさせれば、当該バッテリ２１，２２をバッテリ取り付け部２７，２８から取り外すことができ、逆に取り付けることができる。また、バッテリ２１，２２は、それぞれ個別にバッテリ取り付け部２７又は２８に取り付けることができ、逆に取り外すことができる。
図４に示すように両バッテリ２１，２２の上部には、ロック解除爪２１ａ，２２ａが設けられている。バッテリ取り付け部２７，２８に対してバッテリ２１，２２を下方へスライドさせて取り付けると、ロック爪が係合して取り付け状態がロックされる。この取り付けロック状態において、ロック解除爪２１ａ，２２ａを押し下げ操作するとロック爪の係合が解除される。このロック解除状態で、両バッテリ２１，２２を上方へスライドさせればバッテリ取り付け部２７，２８から取り外すことができる。
【００１０】
バッテリ２１，２２は、バッテリ取り付け部２７，２８に取り付けられると、以下説明する切り換え操作により何れか一方のバッテリ２７又は２８が本体部２の電源回路に電気的に接続された状態となる。
本体部２の上面には、バッテリ操作部３０が設けられている。このバッテリ操作部３０には、切り換えスイッチ３１と動作表示部３２が設けられている。切り換えスイッチ３１を左右に切り換え操作すると、上記したように一方のバッテリ２１又は２２が電源回路に電気的に接続されて（有効になって）、電動モータ１０に電力供給可能な状態となる。切り換えスイッチ３１を左側に傾動操作すると左側のバッテリ２１が有効になり、右側に傾動操作すると右側のバッテリ２２が有効になる。何れのバッテリ２１又は２２が有効であるかは、動作表示部３２で表示される。図４に示すように動作表示部３２には、緑色に点灯する左右の動作ランプ３２ａ，３２ｂと赤色に点灯する一つの警告ランプ３２ｃが設けられている。切り換えスイッチ３１の傾動操作により左側のバッテリ２１が有効になると左側の動作ランプ３２ａが緑色に点灯し、右側のバッテリ２２が有効になると右側の動作ランプ３２ｂが緑色に点灯する。これにより、使用者は何れのバッテリ２１又は２２から電力供給されているか一目で判別することができる。有効なバッテリ２１又は２２の残容量が少なくなると、警告ランプ３２ｃが赤色に点灯する。また、過電流の発生等、バッテリ２１又は２２やバッテリ取り付け部２７，２８の電力供給に異常が発生した場合にも警告ランプ３２ｃが点灯若しくは点滅する。
切り換えスイッチ３１の操作により有効ではなくなったバッテリ２１（又は２２）は、そのままバッテリ取り付け部２７（又は２８）に取り付けておいてもよいし、バッテリ取り付け部２７（又は２８）から取り外しておくこともできる。２つのバッテリ２１，２２のうち、一つのバッテリ２１（又は２２）を取り外すことにより、当該耕うん機１をより軽量化した状態で使用することができる。一方、取り外したバッテリ２１（又は２２）は、別途充電器で充電した後、再度バッテリ取り付け部に取り付けておくことにより、当該耕うん機１の長時間使用が可能になる。
前記したようにバッテリ収容部２０はバッテリカバー１１によって閉じられる。バッテリカバー１１の開口部には防水用のシールゴム１１ｄがその全周にわたって装着されている。このためバッテリカバー１１の閉じ状態では、シールゴム１１ｄがバッテリ収容部２０の底面に弾性押圧されて外部からの雨水等の浸水が防止されるようになっている。バッテリカバー１１の閉じ状態は、バッテリ収容部２０の左右側部に設けたロックレバー１１ｂ，１１ｂを、当該バッテリカバー１１の左右側部に設けた係合部１１ｃ，１１ｃにそれぞれ係合させることによりロックされる。
【００１１】
ハンドル部４は、本体部２の後ろ側斜め上方に延びる状態に設けられている。このハンドル部４は、補助支柱２３から後方斜め上方に延びる状態に固定された固定部４ａと、この固定部４ａに対して支軸４ｂを介して前後に傾動可能に結合された傾動部４ｃを備えている。固定部４ａに対する傾動部４ｃの傾動位置は段階的に位置調整可能で、使用者に合わせてグリップ部４ｄ，４ｅの高さ位置を最適な位置に調整することができる。また、傾動部４ｃは支軸４ｂを介して前側へ傾動させることにより折り畳むことができる。
図３〜４に示すように傾動部４ｃは、Ｙ字型に分岐した二股形状を有しており、その先端部（後端部）にはそれぞれ使用者が左右の手で把持するグリップ部４ｄ，４ｅが設けられている。右側のグリップ部４ｅの手前には、操作スイッチ部６が設けられている。この操作スイッチ部６には、上面側の電源スイッチ６ａと、左側部のロックオフスイッチ６ｂと、後面側のレバースイッチ６ｃが設けられている。右側のグリップ部４ｅを把持した手の指先で上面側の電源スイッチ６ａを押し操作すると、本体部２の電源回路に通電されて電動モータ１０が起動可能な状態となる。その後、ロックオフスイッチ６ｂを押し操作した状態でレバースイッチ６ｃを引き操作すると電動モータ１０が起動して左右の耕うん爪１８，１８が回転する。ロックオフスイッチ６ｂを押し操作しない状態でレバースイッチ６ｃを引き操作しても空振り（無効）となって電動モータ１０は起動しない。
機構部ケース１９の前部とハンドル部４の固定部４ａには、持ち運び用のキャリングハンドル７，８が設けられている。使用者は当該耕うん機１の不使用時に前後のキャリングハンドル７，８を両手で把持して当該耕うん機１を持ち運ぶことができる。
【００１２】
本実施形態の耕うん機１は、電源として前記例示した３６Ｖ仕様のバッテリ２１，２２に代えて、電圧の異なる仕様外のバッテリを電源として利用するためのバッテリコンバータ４０を用いることができる。このバッテリコンバータ４０を用いることにより、本体部２の電源仕様に適合したバッテリである３６Ｖ仕様のバッテリ２１，２２を充電中等の理由で用意できない場合に、１８Ｖ仕様のバッテリ３５，３５（仕様外バッテリ）を２つ用意してこれを３６Ｖ電源として代替させて耕うん機１を利用することができるようになる。図７〜図１０に、２つの３６Ｖ仕様のバッテリ２１，２２に代えてバッテリコンバータ４０を装着した耕うん機１が示されている。以下説明する実施形態では、形態の異なる第１及び第２のバッテリコンバータ４１，４２を装着した構成を例示する。耕うん機１の本体部２、機構部３、ハンドル部４等の基本的な構成については特に変更を要しないので、同位の符号を用いてその説明を省略する。
前記したように本体部２のバッテリ収容部２０に設けたスライド取り付け形式のバッテリ取り付け部２７，２８は、そのまま利用される。図４及び図５に示すように、２つのバッテリ取り付け部２７，２８は、形態の異なる第１及び第２のバッテリコンバータ４１，４２に対応して、本体部２の中心（電動モータ１０のモータ軸線）に対して左右対称には配置されていない。本実施形態では、左側のバッテリ取り付け部２７がバッテリ収容部２０の左端にずれた位置に配置され、右側のバッテリ取り付け部２８がやや中心寄りにずれた位置に配置されて、右側の取り付けスペースが大きく確保されている。図８〜図１０に示すように、左側のバッテリ取り付け部に第１のバッテリコンバータ４１が装着され、右側のバッテリ取り付け部２８に、第１のバッテリコンバータ４１よりも左右幅寸法が大きな第２のバッテリコンバータ４２が装着されている。第１及び第２のバッテリコンバータ４１，４２それぞれによって３６Ｖ電源を供給可能な状態となっている。
このように、左右幅寸法の異なる２つのバッテリコンバータ４１，４２に対応して左右のバッテリ取り付け部２７，２８がモータ軸線（本体部２の幅中心）に対して左右非対称となる位置に設けられていることにより、本体部２の幅方向のコンパクト化を図りつつ両バッテリコンバータ４１，４２を横並びに取り付けることができるようになっている。
【００１３】
左側のバッテリ取り付け部２７に取り付けた第１のバッテリコンバータ４１は、バッテリ側と取り付け部側が分離されたセパレートタイプのバッテリコンバータで、図１１及び図１２に示すように１８Ｖ仕様のバッテリ３５，３５を２つ収容したコンバータユニット４５と、３６Ｖバッテリに対応したスライド取り付け形式を有するアダプタユニット４６と両者を電気的に接続するアダプタコード４７を有している。図１１では、この第１のバッテリコンバータ４１が、ヘッジトリマと称される園芸工具５０の電源として用いられる使用形態が示されている。この園芸工具５０のメインハンドル５２の下面に沿って設けた３６Ｖバッテリ対応のバッテリ取り付け部５１にアダプタユニット４６がスライド取り付け形式により取り付けられている。このアダプタユニット４６は、スライド取り付け形式及び各部の寸法等について前記３６Ｖ仕様のバッテリ２１，２２のバッテリケースと同じ構成を備えている。また、このアダプタユニット４６には、バッテリ２１，２２と同様のロック解除爪４６ａを備えている。但し、このアダプタユニット４６内には、前記バッテリ２１，２２とは異なってバッテリセルは内装されていない。このためアダプタユニット４６は、バッテリ２１，２２に比して大幅に軽量化されている。
コンバータユニット４５は、図１２に示すように２つの１８Ｖ仕様のバッテリ３５，３５を横並び状態で収容した本体ケース４５ａと、この本体ケース４５ａを開閉する蓋部４５ｂを備えている。図１１は蓋部４５ｂが閉じられた状態を示し、図１２は蓋部４５ｂが開放された状態を示している。本体ケース４５ａ内に横並び状態で収容された２つのバッテリ３５，３５は電気的に直列接続されており、合計３６Ｖのバッテリとして機能する。この本体ケース４５ａの背面側（図１２において手前側）には引き掛け用のフック４５ｃが設けられている。また、本体ケース４５ａの両側部には、肩掛けベルト取り付け用のベルト取り付け部４５ｄ，４５ｄと、腰ベルト挿通用のベルト挿通孔４５ｅ，４５ｅが設けられている。このコンバータユニット４５とアダプタユニット４６がアダプタコード４７によって電気的に接続されている。
【００１４】
この第１のバッテリコンバータ４１によって、コンバータユニット４５に収容した２つの１８Ｖ仕様のバッテリ３５，３５が１つの３６Ｖ仕様のバッテリとして機能し、これを電源として園芸工具５０を利用することができる。園芸工具５０の工具本体には、バッテリセルを内装しない空のアダプタユニット４６が取り付けられ、使用者が例えば腰ベルトに引き掛けたコンバータユニット４５に内装した２つの１８Ｖバッテリ３５，３５を電源とすることから、当該園芸工具５０を大幅に軽量化した状態で楽に取り扱うことができ、これにより作業効率を高めることができる。また、１８Ｖバッテリ３５，３５を用いて３６Ｖ仕様の園芸工具５０を利用することができることから、３６Ｖバッテリを用意できない場合であっても園芸工具５０を有効活用することができる。本実施形態では、このような特徴を有する第１のバッテリコンバータ４１を耕うん機１に用いることができる。
耕うん機１に用いる場合、図８〜図１０に示すように第１のバッテリコンバータ４１のアダプタユニット４６が、バッテリ収容部２０の左側のバッテリ取り付け部２７に取り付けられている。ロック解除爪４６ａをアンロック操作した状態で上方へスライドさせることによりこのアダプタユニット４６をバッテリ取り付け部２７から取り外すことができる。一方、第１のバッテリコンバータ４１のコンバータユニット４５はハンドル部４に取り付けられている。ハンドル部４の傾動部４ｃにはフック引き掛け部４ｆが設けられている。このフック引き掛け部４ｆの引き掛け孔にフック４５ｃを差し込んで引き掛けておくことによりコンバータユニット４５がハンドル部４に吊り下げ状態で装着されている。フック引き掛け部４ｆは、ハンドル部４の左右方向中央かつ固定部４ａの上端部付近であって、抵抗棒２９の上方に設けられている。このコンバータユニット４５内に２つの１８Ｖバッテリ３５，３５が内装されている。このことから、比較的重量の大きなバッテリ３５，３５を２つ収容したコンバータユニット４５が抵抗棒２９の上方に吊り下げられた状態となる。このため、当該バッテリ３５，３５の重量を抵抗棒２９に付加させて使用者はより楽に耕うん作業を行うことができる。
コンバータユニット４５とアダプタユニット４６を電気的に接続するアダプタコード４７は、バッテリ収容部２０の左側部に設けたコード通し孔２０ａを経て当該バッテリ収容部２０内から外部に引き出されてコンバータユニット４５まで取り回されている。このため、アダプタコード４７を挟み込むことなく蓋部１１を完全に閉じることができるので、バッテリ収容部２０の防水及び防塵を図ることができる。
コンバータユニット４５に直列に内装した２つの１８Ｖバッテリ３５，３５により本体部２の電源回路に３６Ｖ電源を供給可能な状態となる。
【００１５】
バッテリ収容部２０の右側のバッテリ取り付け部２８には、第２のバッテリコンバータ４２が取り付けられている。第２のバッテリコンバータ４２の詳細が図１３及び図１４に示されている。第２のバッテリコンバータ４２は、上記第１のバッテリコンバータ４１とは異なってバッテリ側と取り付け部側が一体に設けられた一体型のバッテリコンバータであり、上下方向の縦部４２ａと前後方向の横部４２ｂを有するＬ字形のベースユニットで、２つの１８Ｖ仕様のバッテリ３６，３６を直列接続して３６Ｖの電源電圧を出力する機能を有している。縦部４２ａの後面側に２つのスライド取り付け形式のバッテリ取り付け部４２ｃ，４２ｃが左右横並び状態で設けられている。両バッテリ取り付け部４２ｃ，４２ｃにそれぞれ１８Ｖ仕様のバッテリ３６を取り付けることができる。
縦部４２ａの前面側に、耕うん機１側のバッテリ取り付け部２８（３６Ｖ仕様）に対する本機取り付け部４２ｄが設けられている。この本機取り付け部４２ｄも、バッテリ取り付け部２８に対応した３６Ｖ仕様のスライド取り付け形式を有している。縦部４２ａの両バッテリ取り付け部４２ｃ，４２ｃに対してそれぞれ上側から下方へ向けてスライドさせることによりバッテリ３６を取り付けることができる。第１のバッテリコンバータ４１の１８Ｖバッテリ３５，３５と同じくロック解除ボタンをアンロック操作して上方へスライドさせれば、バッテリ３６をバッテリ取り付け部４２ｃから取り外すことができる。取り付けた２つの１８Ｖバッテリ３６，３６は、直列接続されて３６Ｖの電源として機能する。
横部４２ｂ内には、取り付けた２つのバッテリ３６，３６の動作を制御する制御基板等が内装されている。
このように２つの１８Ｖバッテリ３６，３６を取り付けた第２のバッテリコンバータ４２を、耕うん機１側のバッテリ取り付け部２８に対して上側から下側に向けたスライドさせて直接取り付けることにより３６Ｖ電源を本体部２の電源回路に供給可能な状態となる。
以上のようにしてそれぞれ１８Ｖバッテリ３５，３６を２つずつ取り付けた第１及び第２のバッテリコンバータ４１，４２をバッテリ収容部２０のバッテリ取り付け部２７，２８にそれぞれ取り付けることにより、本体部２の電源回路に３６Ｖ電源を供給可能な状態となる。
また、バッテリ取り付け部２７，２８に電源仕様に適合したバッテリ２１，２２を直接取り付けた場合と同様、第１及び第２のバッテリコンバータ４１，４２を用いて仕様外のバッテリ３５，３６を電源として用いる場合についても、バッテリ操作部３０の切り換えスイッチ３１を切り換え操作することにより、第１のバッテリコンバータ４１又は第２のバッテリコンバータ４２の何れか一方を電源として有効に切り換えることができ、これにより例えば一方を充電のために取り外した場合に他方のバッテリコンバータを介して電源供給を行うことができる等、長時間の電源供給による耕うん機１の長時間運転を実現できる。
【００１６】
以上のように構成した本実施形態の耕うん機１によれば、穴明け用の電気ドリル、ねじ締め機や切断機等の主として手持ち式の電動工具のバッテリを電源として用いることができる。このバッテリには、バッテリパックに複数本のセルを内装したリチウムイオンバッテリを用いることができる。このリチウムイオンバッテリを電源とすることにより、自然放電が少なく、継ぎ足し充電が可能であるといったメリットを耕うん機１についても享受することができる。また、電動工具と耕うん機との間でバッテリを使い回すことにより、当該バッテリの有効活用を図って電源コストを低減することができる。
しかも、本実施形態によれば、本体部２の電源仕様に適合するバッテリとして３６Ｖバッテリ２１，２２を直接バッテリ取り付け部２７，２８に取り付けることができる他、第１及び第２のバッテリコンバータ４１，４２を用いることにより、電源仕様に適合しない仕様外の１８Ｖバッテリ３５，３６を電源として利用することができる。このことから、本実施形態の耕うん機１によれば、充電中である等の理由により３６Ｖバッテリ２１，２２を用意できない場合には、第１若しくは第２又は双方のバッテリコンバータ４１，４２を用いることにより仕様外の１８Ｖバッテリ３５，３６を電源として耕うん作業等を行うことができ、この点で利用可能なバッテリ仕様の範囲が拡大し、ひいては当該耕うん機１の使い勝手を向上させることができる。
また、２つの３６Ｖバッテリ２１，２２若しくはこれに代えてそれぞれ２つの１８Ｖバッテリを装着可能な第１又は第２のバッテリコンバータ４１，４２を取り付けることができ、これにより当該耕うん機１の長時間運転が可能になる。
さらに、形態の異なる２つのバッテリコンバータ４１，４２を同時に取り付けることができる点で当該耕うん機１の使い勝手を一層高めることができる。しかも、左右のバッテリ取り付け部２７，２８が電動モータ１０のモータ軸線に対して左右非対称となる状態に配置されていることから、左右幅寸法の異なる２つのバッテリコンバータ４１，４２を、本体部２の幅寸法を大きくすることなく左右横並び状態に効率よく取り付けることができる。
【００１７】
以上説明した実施形態には種々変更を加えることができる。例えば、電源としてバッテリ収容部２０内に２つのバッテリコンバータ４１，４２を搭載する構成を例示したが、一つのバッテリコンバータを搭載する構成、あるいは三つ以上のバッテリコンバータを搭載する構成とすることもできる。
また、電源仕様に適合した３６Ｖバッテリ２１をバッテリ取り付け部２７に取り付け、仕様外の１８Ｖバッテリを収容した第２のバッテリコンバータ４２をバッテリ取り付け部２８に取り付けて電源とすることができる。このことから、仕様適合バッテリ（３６Ｖ）と仕様外バッテリ（１８Ｖ）を混在させて電源とすることができる。
さらに、バッテリ収容部２０に設ける２箇所のバッテリ取り付け部について、双方ともに同じ形態のバッテリコンバータを取り付けて電源とする構成としてもよい。例えば、両バッテリ取り付け部２７，２８に、それぞれ第１のバッテリコンバータ４１のアダプタユニット４６を取り付け、ハンドル部にそれぞれのコンバータユニット４５を取り付けて、仕様外の１８Ｖバッテリ３５，３５を電源とする構成、あるいは２つのバッテリ取り付け部の配置を変更して、それぞれに第２のバッテリコンバータを取り付け可能としてもよい。
また、スライド取り付け形式のバッテリ２１，２２，３５，３６を例示したが、これらの全て若しくは一部について、電動工具用のバッテリとして例えば差し込み式のバッテリに対応させることもできる。
さらに、本体部２の仕様について定格電圧を３６Ｖとした場合を例示したが、これに限定されるものではなく、その他の電源電圧について、これを複数個の仕様外バッテリを装着したバッテリコンバータで供給する構成とすることができる。
また、電力供給中の有効バッテリを切り換えスイッチ３１の手動操作により切り換える構成を例示したが、電力供給中のバッテリの残容量を検知してこれが一定値以下になった時点で自動的に有効バッテリを切り換える構成としてもよい。
【符号の説明】
【００１８】
Ｒ…耕うん面
１…耕うん機
２…本体部
３…機構部
４…ハンドル部
４ａ…固定部、４ｂ…支軸、４ｃ…傾動部
４ｄ…グリップ部（左）、４ｅ…グリップ部（右）
５…ロータリカバー
６…操作スイッチ部
６ａ…電源スイッチ、６ｂ…ロックオフスイッチ、６ｃ…レバースイッチ
７…キャリングハンドル（フロント側）
８…キャリングハンドル（リヤ側）
１０…電動モータ
１１…バッテリカバー
１１ａ…支軸、１１ｂ…ロックレバー、１１ｃ…係合部、１１ｄ…シールゴム
１２…本体部ケース
１３…駆動ギヤ
１４…従動ギヤ
１５…駆動軸、１５ａ…ウォームギヤ
１６…ウォームホイール
１７…出力軸
１８…耕うん爪
１９…機構部ケース
２０…バッテリ収容部
２１，２２…バッテリ（３６Ｖ仕様）、２１ａ，２２ａ…ロック解除爪
２３…補助支柱
２４…移動輪
２５…ステー、２５ａ…支軸
２６…引っ張りばね
２７，２８…バッテリ取り付け部
２９…抵抗棒
３０…バッテリ操作部
３１…切り換えスイッチ
３２…動作表示部
３２ａ…動作ランプ（左側用）、３２ｂ…動作ランプ（右側用）、３２ｃ…警告ランプ
３５，３６…１８Ｖバッテリ（仕様外）
４０…バッテリコンバータ
４１…第１のバッテリコンバータ
４２…第２のバッテリコンバータ
４２ａ…縦部、４２ｂ…横部、４２ｃ…バッテリ取り付け部、４２ｄ…本機取り付け部
４５…コンバータユニット
４５ａ…本体ケース、４５ｂ…蓋部、４５ｃ…フック、４５ｄ…ベルト取り付け部
４５ｅ…ベルト挿通孔
４６…アダプタユニット、４６ａ…ロック解除爪、４６ｂ…
４７…アダプタコード
５０…園芸工具（ヘッジトリマ）
５１…バッテリ取り付け部
５２…メインハンドル
【図１】
0005766547.tif 000002
【図２】
0005766547.tif 000003
【図３】
0005766547.tif 000004
【図４】
0005766547.tif 000005
【図５】
0005766547.tif 000006
【図６】
0005766547.tif 000007
【図７】
0005766547.tif 000008
【図８】
0005766547.tif 000009
【図９】
0005766547.tif 000010
【図１０】
0005766547.tif 000011
【図１１】
0005766547.tif 000012
【図１２】
0005766547.tif 000013
【図１３】
0005766547.tif 000014
【図１４】
0005766547.tif 000015